(57)【要約】【課題】名刺画像のデザインバリエーションを多様化し、他人の名刺との差別化に適した電子名刺を提供する。【解決手段】送信側の携帯端末２ａから相手側の携帯端末２ｂに向けて送信され、相手側の携帯端末２ｂの表示部２４に名刺画像を表示するための電子名刺であって、名刺画像を動画で表示するための動画ファイルから構成される。上記の名刺画像は、携帯端末２ａのユーザの氏名画像３０ｄや勤務先の社名を示す社名画像３０ｂ等を含む複数の表示画像を有するものであり、また、動画ファイルは、複数の表示画像を有する名刺画像の全体を一纏まりの動画で構成したものである。このとき、動画ファイルは、ｓｗｆファイルのファイル形式を有することが好ましい。【選択図】図３
2010086161.tif 000002
【特許請求の範囲】
【請求項１】
複数の携帯端末間において、一の携帯端末から他の携帯端末に向けて送信され、該他の携帯端末の表示部に名刺画像を表示するための電子名刺であって、
前記名刺画像を動画で表示するための動画ファイルから構成されることを特徴とする電子名刺。
【請求項２】
前記名刺画像は、少なくとも前記一の携帯端末のユーザの氏名又は名称を示す画像を含む複数の表示画像を有し、
前記動画ファイルは、前記複数の表示画像を有する名刺画像の全体を一纏まりの動画で構成したものであることを特徴とする請求項１に記載の電子名刺。
【請求項３】
前記動画ファイル中に、前記複数の表示画像と関連付けて連絡先又はアクセス先を示す情報が記録され、
前記携帯端末の表示部に表示された名刺画像中の表示画像を選択することで、相手先への連絡又はアクセスが可能であることを特徴とする請求項２に記載の電子名刺。
【請求項４】
前記動画ファイルは、ｓｗｆファイルであることを特徴とする請求項１、２又は３に記載の電子名刺。
【請求項５】
複数の携帯端末間において、一の携帯端末から他の携帯端末に向けて電子名刺を送信し、該他の携帯端末に電子名刺を表示する電子名刺の利用方法であって、
前記一の携帯端末の記憶部に名刺画像を動画で表示するための動画ファイルを記憶するとともに、該記憶部に記憶された動画ファイルを該一の携帯端末から前記他の携帯端末に向けて送信し、
該他の携帯端末で前記一の携帯端末から送信された動画ファイルを受信して再生し、該他の携帯端末の表示部に前記電子名刺としての動画像を表示することを特徴とする電子名刺の利用方法。
【請求項６】
前記動画ファイルに対応する２次元コードを前記一の携帯端末の表示部に表示し、該表示部に表示された２次元コードを通じて前記他の携帯端末が前記動画ファイルを取得することを特徴とする請求項５に記載の電子名刺の利用方法。
【請求項７】
複数の携帯端末間において、一の携帯端末から他の携帯端末に向けて電子名刺を送信し、該他の携帯端末に電子名刺を表示する電子名刺システムであって、
前記一の携帯端末は、名刺画像を動画で表示するための動画ファイルを記憶した記憶部と、該記憶部に記憶された動画ファイルを前記他の携帯端末に向けて送信する送信部とを備え、
前記他の携帯端末は、前記一の携帯端末から送信された動画ファイルを受信する受信部と、受信した動画ファイルを再生して前記電子名刺としての動画像を表示する表示部とを備えることを特徴とする電子名刺システム。
【発明の詳細な説明】
【技術分野】
【０００１】
本発明は、名刺情報を電子化した電子名刺及びその電子名刺の利用方法等に関し、特に、携帯端末の通信機能を用いて授受される電子名刺及びその利用方法等に関する。
【背景技術】
【０００２】
ビジネスコミュニケーションの場において、名刺の交換は必要不可欠なものとなっているが、現在のところ、名刺は、氏名や社名等を紙媒体に印刷して作成するのが主流となっている。しかし、紙媒体を用いて名刺を作成した場合には、紙資源を多量に消費することになり、また、不要になった名刺は廃棄せざるを得ないため、新たなごみを生み出すことにも繋がる。
【０００３】
そこで、特許文献１には、名刺のペーパーレス化を図るため、名刺を電子化した電子名刺を作成するとともに、その電子名刺を携帯電話機やＰＤＡ（Personal Digital Assistant）等の携帯端末を利用して送受する電子名刺システムが提案されている。このシステムは、氏名や社名等の名刺情報を各端末のメモリに予め記憶しておき、送信側端末を操作することで、送信側端末のメモリ内の名刺情報を相手側端末に向けて送信し、相手側端末の表示部に名刺画像を表示するように構成されている。
【０００４】
上記システムによれば、相手側端末のユーザは、端末の表示部に表示された画像を閲覧することで、送信側端末のユーザの氏名や社名等を視認することができるため、紙媒体での名刺交換の機会を低減することができる。
【０００５】
【特許文献１】特開２００１−１１７８８３号公報
【発明の開示】
【発明が解決しようとする課題】
【０００６】
しかし、従来の電子名刺システムにおいては、名刺情報がテキストデータによって構成され、相手側端末の表示部には、氏名や社名等を表す文字が表示されるに過ぎない。この場合、文字を羅列しただけの味気ない平凡な画像になり、また、デザイン設計の自由度も低くなるため、異なるユーザの名刺画像であっても、見た目が一様になり易くなる。このため、他人の名刺との差別化を図り難く、自らの名刺を受け手側ユーザに強く印象付けるのが困難になるという問題がある。
【０００７】
そこで、本発明は、上記従来の技術における問題点に鑑みてなされたものであって、名刺画像のデザインバリエーションを多様化し、他人の名刺との差別化に適した電子名刺等を提供することを目的とする。
【課題を解決するための手段】
【０００８】
上記目的を達成するため、本発明は、複数の携帯端末間において、一の携帯端末から他の携帯端末に向けて送信され、該他の携帯端末の表示部に名刺画像を表示するための電子名刺であって、前記名刺画像を動画で表示するための動画ファイルから構成されることを特徴とする。
【０００９】
そして、本発明によれば、電子名刺として、名刺画像を動画で表示するための動画ファイルを用いるため、名刺画像のデザインバリエーションを多様化することができ、容易に他人の名刺との差別化を図ることが可能になる。
【００１０】
上記電子名刺において、前記名刺画像が、少なくとも前記一の携帯端末のユーザの氏名氏名又は名称を示す画像を含む複数の表示画像を有し、前記動画ファイルを、前記複数の表示画像を有する名刺画像の全体を一纏まりの動画で構成したものとすることができる。
【００１１】
上記構成によれば、複数の表示画像につき、名刺画像内での個々の動きを自由自在に設計できるため、名刺画像としてのデザインの自由度が高くなり、多種多様なデザイン設計が可能になる。さらに、名刺画像の全体を１つの動画としてデザインし得ることから、表示画像同士のバランスを取りながら、全体のデザイン設計を進めることが容易となるため、見た目上の自然さや統一感のある動画を構成することも可能になる。
【００１２】
上記電子名刺において、前記動画ファイル中に、前記複数の表示画像と関連付けて連絡先又はアクセス先を示す情報が記録され、前記携帯端末の表示部に表示された名刺画像中の表示画像を選択することで、相手先への連絡又はアクセスを可能とすることができ、これによれば、利便性を向上させることが可能になる。
【００１３】
上記電子名刺において、前記動画ファイルをｓｗｆファイルとすることができ、これによれば、比較的に手軽に見栄えの良い動画を作成することができるとともに、汎用性を向上させることが可能になる。
【００１４】
また、本発明は、複数の携帯端末間において、一の携帯端末から他の携帯端末に向けて電子名刺を送信し、該他の携帯端末に電子名刺を表示する電子名刺の利用方法であって、前記一の携帯端末の記憶部に名刺画像を動画で表示するための動画ファイルを記憶するとともに、該記憶部に記憶された動画ファイルを該一の携帯端末から前記他の携帯端末に向けて送信し、該他の携帯端末で前記一の携帯端末から送信された動画ファイルを受信して再生し、該他の携帯端末の表示部に前記電子名刺としての動画像を表示することを特徴とする。そして、本発明によれば、上記発明と同様に、名刺画像のデザインバリエーションを多様化することができ、容易に他人の名刺との差別化を図ることが可能になる。
【００１５】
上記電子名刺の利用方法において、前記動画ファイルに対応する２次元コードを前記一の携帯端末の表示部に表示し、該表示部に表示された２次元コードを通じて前記他の携帯端末が前記動画ファイルを取得することができる。これによれば、送信側の携帯端末が動画ファイルを送信できない機種であっても、相手側の携帯端末に動画ファイルを受け渡すことが可能になる。
【００１６】
さらに、本発明は、複数の携帯端末間において、一の携帯端末から他の携帯端末に向けて電子名刺を送信し、該他の携帯端末に電子名刺を表示する電子名刺システムであって、前記一の携帯端末は、名刺画像を動画で表示するための動画ファイルを記憶した記憶部と、該記憶部に記憶された動画ファイルを前記他の携帯端末に向けて送信する送信部とを備え、前記他の携帯端末は、前記一の携帯端末から送信された動画ファイルを受信する受信部と、受信した動画ファイルを再生して前記電子名刺としての動画像を表示する表示部とを備えることを特徴とする。そして、本発明によれば、上記発明と同様に、名刺画像のデザインバリエーションを多様化することができ、容易に他人の名刺との差別化を図ることが可能になる。
【発明の効果】
【００１７】
以上のように、本発明によれば、名刺画像のデザインバリエーションを多様化し、他人の名刺との差別化に適した電子名刺等を提供することが可能になる。
【発明を実施するための最良の形態】
【００１８】
次に、本発明の実施の形態について図面を参照して詳細に説明する。
【００１９】
図１は、本発明にかかる電子名刺システムの一実施の形態を示し、このシステム１では、相互に直接通信が可能な複数の携帯端末２ａ、２ｂを用いて電子名刺を送受する。ここで、直接通信とは、基地局（不図示）を介することなく、端末同士が直接的に通信する通信形式を言う。
【００２０】
複数の携帯端末２ａ、２ｂは、いずれも、携帯電話機やＰＤＡ等の小型通信端末であり、同一の構成を有する。これら携帯端末２ａ、２ｂは、図２に示すように、赤外線通信や短距離無線通信等を用いて端末２ａ、２ｂ同士で通信するための端末間通信部２１と、基地局を介して電子メールの通信や通話を行うための移動体通信部２２と、制御用プログラム等が記憶されたメモリ２３と、所定の画像が表示される表示部２４と、ボタンスイッチ等から構成される操作部２５と、端末全体の動作を統括的に制御する制御部２６等を備える。
【００２１】
このうち、制御部２６には、動画再生用アプリケーション２６ａ、端末間通信用アプリケーション２６ｂ、メール用アプリケーション２６ｃ及び通話用アプリケーション２６ｄ等がインストールされ、操作部２５の操作に応じて各種アプリケーションが起動可能な状態とされている。
【００２２】
ここで、動画再生用アプリケーション２６ａは、動画ファイルを再生して動画を表示部２４に表示するためのものであり、端末間通信用アプリケーション２６ｂは、携帯端末２ａ、２ｂ同士の通信動作を制御するためのものである。さらに、メール用アプリケーション２６ｃは、電子メールの作成から送受信までの一連の動作を制御するためのものであり、通話用アプリケーション２６ｄは、通話処理を制御するためのものである。
【００２３】
また、メモリ２３には、制御用プログラム等の他、電子名刺としての名刺データ２３ａが記憶される。名刺データ２３ａは、携帯端末２ａ、２ｂを所有するユーザの氏名、ユーザの勤務先の社名、電話番号やメールアドレス等の連絡先、及びユーザの顔写真等からなる名刺情報を含むものであり、かかる名刺情報を動画で表示するための単一の動画ファイルである。
【００２４】
この名刺データ２３ａは、氏名や社名等をテキストデータで作成した画像中に特定の動画を貼り付けたものではなく、氏名画像や社名画像等からなる名刺画像の全体を、一纏まりの動画で構成するように作成される。これによって、画像全体としての統一感を向上させるとともに、デザインバリエーションを多様化することができる。
【００２５】
すなわち、テキストデータに動画を貼り付けて名刺画像を構成した場合には、貼り付けた動画のみが動き、他の部分は静止した状態で維持されるため、デザイン面で制約を受けたり、全体として不自然な画像になり易くなる。これに対して、名刺画像の全体を動画で構成した場合には、氏名画像、社名画像等の複数の表示画像につき、名刺画像内での個々の動きを自由自在に設計できるため、名刺画像としてのデザインの自由度が高くなり、多種多様なデザイン設計が可能になる。さらに、名刺画像の全体を１つの動画としてデザインし得ることから、表示画像同士のバランスを取りながら（１つの表示画像の動きに合わせて他の表示画像の動きを調整する等）、全体のデザイン設計を進めることが容易となるため、見た目上の自然さや統一感のある動画を構成することも可能になる。
【００２６】
動画の態様は、例えば、図３に示すように、会社ロゴのみのロゴ画面３０ａを表示した後、社名画像３０ｂ、背景画像３０ｃ、写真画像３０ｄ、氏名画像３０ｅ及び連絡先画像３０ｆの各表示画像を動かしたり、濃淡を変化させながら順番に表示させていったり、また、図４（ａ）に示すように、背景として写真画像３０ｇを表示した後、社名画像３０ｈ、氏名画像３０ｉ、連絡先画像３０ｊを順番に表示していくなど、様々な態様を採ることができる。さらに、図４（ｂ）に示すように、画面自体を切り替えていき、名刺画像と異なる画像（画面１〜３）を表示した後、最終画面で名刺画像を表示する態様とすることもでき、ユーザの要望等に応じて自由にデザインすることが可能である。
【００２７】
上記の際、強調したい部分や相手側ユーザに強く印象付けたい部分については、その部分が際立つような動画に構成したり、人間の心理的影響を考慮した刷り込み等の表示手法（例えば、同一会社に勤務する複数のユーザにおいて、名刺画像の背景を同一色にしたり、同様の表示態様で会社ロゴを表示する等）を用いるようにしてもよい。
【００２８】
また、動画ファイルの中には、名刺画像中の各表示画像（図３に示す例では、社名画像３０ｂ、背景画像３０ｃ、写真画像３０ｄ、氏名画像３０ｅ及び連絡先画像３０ｆの各表示画像）について、各表示画像の意味内容を示す情報や、連絡先、アクセス先を示す情報が埋め込まれる。例えば、社名画像３０ｂであれば、社名の情報（ＡＢＣＤ社という社名）と、その会社のホームページのＵＲＬ等とが埋め込まれ、また、それらの情報と社名画像３０ｂとの関連付けも動画ファイル内でなされる。これにより、名刺画像の全体を一纏まりの動画で構成し、社名画像３０ｂが動画の一部になる場合であっても、携帯端末２ａ、２ｂにおいて、社名画像３０ｂが社名を表示する画像である旨を認識することができる。
【００２９】
そして、上記のデータ構造を利用して、図５に示すように、表示画面中の社名画像３０ｂにカーソルを合わせてクリックすることで自動的に会社のホームページを表示する機能を盛り込み、利便性の向上を図る。このことは、他の写真画像３０ｄ、氏名画像３０ｅ及び連絡先画像３０ｆについても同様であり、動画ファイル中に、各表示画像の意味内容を示す情報とともに、通話用アプリケーション２６ｄ、メール用アプリケーション２６ｃへのリンクや地図案内サイトのＵＲＬ等の情報を埋め込み、表示画面中の電話番号やメールアドレスを選択するだけで相手先への電話発信やメール発信を可能にしたり、表示画面中の住所を選択することで既存の地図サービス画面（ＵＲＬ）を表示するように構成する。
【００３０】
尚、名刺データ２３ａは、携帯端末２ａ、２ｂの操作部２５を用いて作成されるものでなく、例えば、ソフトウェア制作事業者等によって別途に作成され、その後、携帯端末２ａ、２ｂのメモリ２３に記憶される。名刺データ２３ａの作成に際しては、作成ソフトとしてAdobe社のFlash（登録商標）を用い、動画ファイルとしてｓｗｆファイルを作成することが好ましい。
【００３１】
上記手法で名刺データ２３ａを作成した場合には、比較的に手軽に見栄えの良い動画を作成することができ、また、アクションスクリプト（再生制御用のスクリプト言語）を活用することで、動画デザインの自由度をより一層高めることもできる。さらに、名刺データ２３ａをｓｗｆファイルで構成した場合には、ｓｗｆファイルを再生可能な再生ツールさえあれば、名刺画像を表示することができるため、名刺データ２３ａの再生、表示のみを目的とした専用アプリケーションを携帯端末２ａ、２ｂにインストールする必要がなくなり、汎用性を向上させることも可能になる。
【００３２】
次に、電子名刺システム１の動作について、図２及び図６を中心に参照しながら説明する。ここでは、図１の携帯端末２ａを送信側端末とするとともに、携帯端末２ｂを相手側端末とし、携帯端末２ａの電子名刺を携帯端末２ｂに送信する場合を例示する。
【００３３】
電子名刺の送信にあたっては、先ず、携帯端末２ａにおいて、メモリ２３から名刺データ２３ａを読み出すとともに、端末間通信用アプリケーション２６ｂを起動させる。そして、端末間通信部２１を通じて、メモリ２３から読み出した名刺データ２３ａを携帯端末２ｂに向けて送信する。
【００３４】
次いで、携帯端末２ｂにおいて、携帯端末２ａから送信された名刺データ２３ａを受信し、その後、受信した名刺データ２３ａをメモリ２３に記憶する。それとともに、動画再生用アプリケーション２６ａを起動し、メモリ２３に記憶された名刺データ２３ａを再生して表示部２４に名刺画像を表示する。尚、このときに表示される名刺画像は、前述した通りの動画像であり、例えば、図３及び図４に示す表示態様を有し、また、図５に示す機能も備える。
【００３５】
こうして、携帯端末２ｂに名刺データ２３ａを送信した後は、名刺データ２３ａは、携帯端末２ｂのメモリ２３から削除されない限り、メモリ２３内に記憶され続けるため、いつでも名刺画像を表示部２４に表示して閲覧することが可能な状態となる。
【００３６】
以上のように、本実施の形態によれば、電子名刺として、名刺画像を動画で表示するための動画ファイルを用いるため、様々な表示態様の名刺画像を作成することができる。従って、名刺画像のデザインバリエーションを多様化することができ、また、ユーザの要望があれば、個性溢れる斬新な名刺画像を作成することもできるため、容易に他人の名刺との差別化を図ることが可能になる。
【００３７】
尚、上記実施の形態においては、端末間通信で名刺データ２３ａを授受する場合を例示したが、携帯端末２ａ、２ｂの機種によっては、端末間通信でｓｗｆファイルを送信できないものが存在し、名刺データ２３ａを送受できない場合もある。
【００３８】
そこで、図７に示すように、予め、送信側端末２ａ内の名刺データ２３ａと同一の動画ファイルを、インターネット３１上のサーバ３２等に記憶しておき、その上で、送信側端末２ａの表示部２４に、動画ファイルの保存先のＵＲＬ等を記録した２次元コード（例えば、ＱＲコード（登録商標））を表示可能に構成することが好ましい。この場合、相手側端末２ｂのカメラ機能３３により送信側端末２ａの２次元コードを読み取れば、相手側端末２ｂは、名刺データ２３ａの保存先にアクセスすることができる。これにより、送信側端末２ａがｓｗｆファイルを送信できない機種であっても、相手側端末２ｂに名刺データ２３ａを渡すことが可能になる。
【００３９】
また、上記の際、動画ファイルの保存先のＵＲＬ等に代えて、動画ファイル自体を２次元コードに記録し、その上で、送信側端末２ａの２次元コードを相手側端末２ｂのカメラ機能３３で読み取ることにより、直接的に動画ファイルを授受するようにしてもよい。
【００４０】
さらに、上記実施の形態においては、送信側端末と相手側端末が１対１の場合を例示したが、本発明は、１つの送信側端末と複数の相手側端末との間で電子名刺を送受する場合にも広く適用することが可能である。さらに、名刺画像中の表示画像として、背景画像、社名画像、写真画像、氏名画像及び連絡先画像等を例示したが、これらは一例に過ぎず、名刺画像は、他の表示画像を有するものとしてもよい。
【００４１】
また、上記実施の形態において、図３〜図５には、個人用の名刺画像を例示しているが、本発明にかかる電子名刺の用途は、個人の名刺に限られるものではなく、商業施設（商店）のショップカード等にも広く適用することが可能である。
【図面の簡単な説明】
【００４２】
【図１】本発明にかかる電子名刺システムの一実施の形態を示す全体構成図である。
【図２】図１の携帯端末の構成図である。
【図３】名刺画像の表示態様例を示す図である。
【図４】名刺画像の表示態様例を示す図である。
【図５】電子名刺システムの一機能を示す図である。
【図６】電子名刺システムの動作を示す図である。
【図７】電子名刺システムの動作を示す図である。
【符号の説明】
【００４３】
１  電子名刺システム
２（２ａ、２ｂ）  携帯端末
２１  端末間通信部
２２  移動体通信部
２３  メモリ
２３ａ  名刺データ
２４  表示部
２５  操作部
２６  制御部
２６ａ  動画再生用アプリケーション
２６ｂ  端末間通信用アプリケーション
２６ｃ  メール用アプリケーション
２６ｄ  通話用アプリケーション
３０ａ  ロゴ画面
３０ｂ  社名画像
３０ｃ  背景画像
３０ｄ  写真画像
３０ｅ  氏名画像
３０ｆ  連絡先画像
３０ｇ  写真画像
３０ｈ  社名画像
３０ｉ  氏名画像
３０ｊ  連絡先画像
３１  インターネット
３２  サーバ
３３  カメラ機能
【図１】
2010086161.tif 000003
【図２】
2010086161.tif 000004
【図３】
2010086161.tif 000005
【図４】
2010086161.tif 000006
【図５】
2010086161.tif 000007
【図６】
2010086161.tif 000008
【図７】
2010086161.tif 000009